(57)【要約】【課題】引留クランプを介して送電線に接続するジャンパー線の端部の下方、また、引留クランプを介して送電線に接続されているジャンパー線の端部の下方に吊り下げて使用する工具袋により、送電線にジャンパー線を取り付けたり、送電線からジャンパー線を取り外す作業を実施するときに、ボルトやナット等の締結部材を受け止めて、当該締結部材の落下を確実に防止することのできる工具袋と、この工具袋を使用したジャンパー線の取り付け・取り外し方法を提供する。【解決手段】本発明に係る工具袋は、底部と周壁を有するバケツ形状の袋本体と、袋本体の開口部において、対向するように基端部が固定された一対の長尺な主紐部材から構成され、袋本体は、底部の略中央部分から周壁の上縁部にかけて切り込みを設け、当該切り込みに沿った両側縁部に貼着手段を設けている。【選択図】図９
2012060740.tif 000002
【特許請求の範囲】
【請求項１】
底部と周壁を有するバケツ形状の袋本体と、袋本体の開口部において、対向するように基端部が固定された一対の長尺な主紐部材から構成され、袋本体は、底部の略中央部分から周壁の上縁部にかけて切り込みを設け、当該切り込みに沿った両側縁部に貼着手段を設けていることを特徴とする工具袋。
【請求項２】
引留クランプを介して送電線に接続するジャンパー線の端部の下方、また、引留クランプを介して送電線に接続されているジャンパー線の端部の下方に吊り下げられる工具袋であって、底部と周壁を有するバケツ形状の袋本体と、袋本体の開口部において、対向するように基端部が固定された一対の長尺な主紐部材から構成され、袋本体は、底部の略中央部分から周壁の上縁部にかけて切り込みを設け、当該切り込みに沿った両側縁部に貼着手段を設けており、袋本体の切り込み内にジャンパー線を導入するように、ジャンパー線に袋本体の切り込みを宛がい、底部の切り込み内にジャンパー線を配置して切り込みに沿った両側縁部を貼着手段により貼り着け、ジャンパー線を袋本体内に収容している状態で、一対の長尺な主紐部材を送電線に取り付けていることを特徴とする工具袋。
【請求項３】
貼着手段は、両側縁部の重ね合わせ部分に付設した面ファスナーである請求項１または２に記載の工具袋。
【請求項４】
貼着手段は、両側縁部に付設した線ファスナーである請求項１または２に記載の工具袋。
【請求項５】
袋本体の開口部において、対向するように基端部が固定された一対の短尺な補助紐部材を備えている請求項１または２に記載の工具袋。
【請求項６】
一対の短尺な補助紐部材を送電線に取り付けて、ジャンパー線の端部を袋本体内に収容している請求項５に記載の工具袋。
【請求項７】
一対の長尺な主紐部材の先端部同士、また、一対の短尺な補助紐部材の先端部同士には、貼着手段として面ファスナーを付設している請求項１または２、請求項６のいずれかに記載の工具袋。
【請求項８】
袋本体は、底部分の略中央部分において、切り込みに連設した所定の大きさの孔を備えている請求項１または２に記載の工具袋。
【請求項９】
請求項１乃至８に記載された工具袋を使用した、ジャンパー線の取り付け・取り外し方法。
【発明の詳細な説明】
【技術分野】
【０００１】
本発明は、引留クランプを介して送電線に接続するジャンパー線の端部の下方、また、引留クランプを介して送電線に接続されているジャンパー線の端部の下方に吊り下げられる工具袋であり、送電線にジャンパー線を取り付けたり、送電線からジャンパー線を取り外す作業を実施するときに、ボルトやナット等の締結部材を受け止めて、当該締結部材の落下を確実に防止することのできる工具袋と、この工具袋を使用したジャンパー線の取り付け・取り外し方法に関するものである。
【背景技術】
【０００２】
例えば、発電所から変電所まで、また、変電所から他の変電所等まで電力を送る際には、電線路としての架空送電線路が利用されている。この架空送電線路は、複数の鉄塔間に送電線を掛け渡して構成されている。
【０００３】
そして、架空送電線路を構成する鉄塔Ｔにおいては、図１１に示すように、送電線Ｌの端部と鉄塔Ｔの間に碍子連Ｇを取り付けて、鉄塔Ｔにおいて送電線Ｌを電気的に絶縁している。また、鉄塔Ｔを介して配置されている送電線Ｌの端部同士は、ジャンパー線Ｊにより電気的に接続している。
【０００４】
ジャンパー線Ｊは、図１１に示すように、引留クランプ１００を介して送電線Ｌに接続されている。このジャンパー線Ｊは、鉄塔Ｔを介して碍子連Ｇの両側に配置されている引留クランプ１００間において、所定の弛度を有してループ状に吊り下げられている。
【０００５】
ジャンパー線Ｊを接続する引留クランプ１００は、例えば、図１２（ａ）（ｂ）に示すように、クランプ本体１０１とジャンパーソケット１０２により構成されている。このクランプ本体１０１は、所定の長さを有する筒状のスリーブ１０３内に送電線Ｌの端部を挿入し、スリーブ１０３の外周を圧縮して送電線Ｌをかしめ状に固定している。
【０００６】
また、スリーブ１０３の基端部には、矩形板状のジャンパー線用接続端子１０４を固定している。このジャンパー線用接続端子１０４は、板片の下部がスリーブ１０３の下方に突出するようにスリーブ１０３の基端部に固定されている。さらに、ジャンパー線用接続端子１０４には、図１２（ｂ）に示すように、複数の孔１０５を縦方向に設けている。また、スリーブ１０３とジャンパー線用接続端子１０４には、碍子連Ｇに接続している碍子接続杆１０６を固定している。
【０００７】
ジャンパー線用接続端子１０４に接続するジャンパーソケット１０２は、その基端部側が筒状に形成され、この筒状部分にジャンパー線Ｊの端部を挿入し、筒状部分の外周を圧縮してジャンパー線Ｊをかしめ状に固定している。また、ジャンパーソケット１０２は、図１２（ｂ）に示すように、その先端部側に二股状の板片１０７を備えている。この二股状の板片１０７にも、それぞれ複数の孔１０８を縦方向に設けている。
【０００８】
ジャンパー線用接続端子１０４にジャンパーソケット１０２取り付けるときは、図１２（ａ）に示すように、二股状の板片１０７の内部にジャンパー線用接続端子１０４を導入するように、ジャンパー線用接続端子１０４に二股状の板片１０７を下方から宛がう。このとき、二股状の板片１０７の孔１０８と、ジャンパー線用接続端子１０４の孔１０５を合致させておく。
【０００９】
そして、両孔１０８・１０５にボルトＢの軸部を挿入し、反対側に突出した軸部の端部にナットＮを螺合させて、ジャンパー線用接続端子１０４に二股状の板片１０７を固定するのである。
【００１０】
この様なジャンパーソケット１０２のボルトＢ止めを行うときは、例えば、図１３に示すように、所定のロープＲによりジャンパーソケット１０２を予め仮吊りして、ジャンパーソケット１０２の落下を防止する措置を施している。
【００１１】
この仮吊り用のロープＲは、先端部にフックＦを備えている。そして、図１３に示すように、ロープＲの基端部をジャンパーソケット１０２に結び付けた状態で、ロープＲのフックＦを、例えば、碍子接続杆１０６に引っ掛けて、ジャンパーソケット１０２の落下を防止している。
【先行技術文献】
【特許文献】
【００１２】
【特許文献１】特に無し
【発明の概要】
【発明が解決しようとする課題】
【００１３】
しかしながら、ジャンパー線用接続端子１０４にジャンパーソケット１０２取り付けるとき、図１２（ａ）（ｂ）に示すように、ボルトＢやナットＮ等の締結部材を用いることから、作業員がこれらの締結部材を誤って落下させてしまう危険性がある。
【００１４】
特に、大型の鉄塔Ｔにおいて、ジャンパー線Ｊを接続する引留クランプ１００と鉄塔Ｔ間の距離が長いとき、作業員は安全ロープを付けて碍子連Ｇ上に乗り出す必要がある。
【００１５】
そして、作業員は、図１３に示すように、送電線Ｌの上に腹這うようにして自身の体を送電線Ｌに載せ、非常に不安定な状態で種々の作業を実施しなければならない。
【００１６】
さらに、鉄塔Ｔにおける高所作業となることから、強風に晒されることあり、作業員は熟練した技能を有するものの、非常に危険な状態での作業を強いられることとなる。
【００１７】
この様に、送電線Ｌ上における非常に不安定な状態・危険な状態でジャンパー線Ｊを取り付けたり、取り外す作業となることから、作業員が疲労してしまい、作業員にとって大きな負担となっていた。
【００１８】
この様な送電線Ｌ上における過酷な作業環境において、ボルトＢやナットＮ等の比較的に小さな締結部材を用いてジャンパー線用接続端子１０４にジャンパーソケット１０２取り付けるとき、作業員はこれらの締結部材を誤って落下させてしまい、公衆災害を引き起こす可能性があるのである。
【００１９】
また、ジャンパー線用接続端子１０４からジャンパーソケット１０２取り外すときも、同様に締結部材を誤って落下させてしまう危険性がある。
【００２０】
この様な締結部材の落下防止対策として、鉄塔の躯体に槍出しの支柱を設け、この支柱に網を張って落下防止網を設置する措置を施すことも可能であるが、その設置作業自体に時間と手間がかかるという問題がある。
【００２１】
また、落下した締結部材を網により受け止めたとき、締結部材が網の上で跳ね上がって網の外に飛び出してしまうことがあり、落下してきた締結部材の全てを確実に受け止めるものではなかった。
【００２２】
そこで、本発明は如上のような従来存した諸事情に鑑み創出されたもので、引留クランプを介して送電線に接続するジャンパー線の端部の下方、また、引留クランプを介して送電線に接続されているジャンパー線の端部の下方に吊り下げて使用する工具袋により、送電線にジャンパー線を取り付けたり、送電線からジャンパー線を取り外す作業を実施するときに、ボルトやナット等の締結部材を受け止めて、当該締結部材の落下を確実に防止することのできる工具袋と、この工具袋を使用したジャンパー線の取り付け・取り外し方法を提供することを目的とする。
【課題を解決するための手段】
【００２３】
本発明に係る工具袋は、底部と周壁を有するバケツ形状の袋本体と、袋本体の開口部において、対向するように基端部が固定された一対の長尺な主紐部材から構成され、袋本体は、底部の略中央部分から周壁の上縁部にかけて切り込みを設け、当該切り込みに沿った両側縁部に貼着手段を設けていることで、上述した課題を解決した。
【００２４】
また、本発明に係る工具袋は、引留クランプを介して送電線に接続するジャンパー線の端部の下方、また、引留クランプを介して送電線に接続されているジャンパー線の端部の下方に吊り下げられる工具袋であって、底部と周壁を有するバケツ形状の袋本体と、袋本体の開口部において、対向するように基端部が固定された一対の長尺な主紐部材から構成され、袋本体は、底部の略中央部分から周壁の上縁部にかけて切り込みを設け、当該切り込みに沿った両側縁部に貼着手段を設けており、袋本体の切り込み内にジャンパー線を導入するように、ジャンパー線に袋本体の切り込みを宛がい、底部の切り込み内にジャンパー線を配置して切り込みに沿った両側縁部を貼着手段により貼り着け、ジャンパー線を袋本体内に収容している状態で、一対の長尺な主紐部材を送電線に取り付けていることで、同じく上述した課題を解決した。
【００２５】
さらに、貼着手段は、両側縁部の重ね合わせ部分に付設した面ファスナーであることで、同じく上述した課題を解決した。
【００２６】
また、貼着手段は、両側縁部に付設した線ファスナーであることで、同じく上述した課題を解決した。
【００２７】
加えて、袋本体の開口部において、対向するように基端部が固定された一対の短尺な補助紐部材を備えていることで、同じく上述した課題を解決した。
【００２８】
また、一対の短尺な補助紐部材を送電線に取り付けて、ジャンパー線の端部を袋本体内に収容していることで、同じく上述した課題を解決した。
【００２９】
さらに、一対の長尺な主紐部材の先端部同士、また、一対の短尺な補助紐部材の先端部同士には、貼着手段として面ファスナーを付設していることで、同じく上述した課題を解決した。
【００３０】
また、袋本体は、底部分の略中央部分において、切り込みに連設した所定の大きさの孔を備えていることで、同じく上述した課題を解決した。
【００３１】
この他、本発明に係る工具袋を使用したジャンパー線の取り付け・取り外し方法は、請求項１乃至８に記載された工具袋を使用することで、同じく上述した課題を解決した。
【発明の効果】
【００３２】
本発明に係る工具袋は、底部と周壁を有するバケツ形状の袋本体と、袋本体の開口部において、対向するように基端部が固定された一対の長尺な主紐部材から構成され、袋本体は、底部の略中央部分から周壁の上縁部にかけて切り込みを設け、当該切り込みに沿った両側縁部に貼着手段を設けていることから、この工具袋を、引留クランプを介して送電線に接続するジャンパー線の端部の下方に吊り下げたときには、当該送電線にジャンパー線を取り付ける作業を実施するときに、落下してきたボルトやナット等の締結部材を工具袋により受け止めて、当該締結部材の落下を確実に防止することができる。
【００３３】
また、工具袋を、引留クランプを介して送電線に接続しているジャンパー線の端部の下方に吊り下げたときには、当該送電線からジャンパー線を取り外す作業を実施するときに、ボルトやナット等の締結部材の落下を確実に防止することができる。
【００３４】
具体的には、袋本体の切り込み内にジャンパー線を導入するように、ジャンパー線に袋本体の切り込みを宛がい、底部の切り込み内にジャンパー線を配置して切り込みに沿った両側縁部を貼着手段により貼り着け、ジャンパー線を袋本体内に収容している状態で、一対の長尺な主紐部材を送電線に取り付けていることから、袋本体の上方からボルトやナット等の締結部材が落下してきたときに、この締結部材を袋本体により受け止めることができる。
【００３５】
このとき、袋本体は、貼着手段を貼り付けて、ジャンパー線を袋本体内に収容している状態で、底部と周壁が閉鎖した略円形のバケツを形成することになる。その為、受け止めた締結部材を袋本体内に確実に保持することができる。
【００３６】
特に、大型の鉄塔において、ジャンパー線を接続する引留クランプと鉄塔間の距離が長いとき、作業員は安全ロープを付けて碍子連上に乗り出す必要があり、作業員は、送電線の上に腹這うようにして自身の体を送電線に載せ、非常に不安定な状態・危険な状態でジャンパー線を取り付けたり、取り外す作業を実施するのであるが、本発明に係る工具袋をジャンパー線の端部の下方に吊り下げることにより、作業員がボルトやナット等の締結部材を誤って落下させた場合であっても、締結部材を袋本体により受け止めて袋本体内に保持することにより、締結部材の落下を防止できるのである。
【００３７】
その結果、鉄塔の下方において公衆災害が発生することもない。
【００３８】
また、締結部材の落下防止対策として、鉄塔の躯体に槍出しの支柱を設け、この支柱に網を張って落下防止網を設置する措置を施す必要もない。
【００３９】
さらに、本発明に係る工具袋において、貼着手段は、両側縁部の重ね合わせ部分に付設した面ファスナーであることから、作業員は、切り込みを介して、袋本体の底部と周壁を簡単に開放したり、また、簡単に閉鎖でき、送電線上における非常に不安定な状態・危険な状態における工具袋の取り付け作業、取り外し作業を容易に行うことができる。
【００４０】
また、貼着手段が、両側縁部に付設した線ファスナーであるときも、同様に、工具袋の取り付け作業、取り外し作業を容易に行うことができる。
【００４１】
加えて、袋本体の開口部において、対向するように基端部が固定された一対の短尺な補助紐部材を備えていることから、この短尺な補助紐部材を介して送電線に袋本体を吊り下げることにより、ジャンパー線の端部を送電線に近付けた状態で、当該ジャンパー線の端部を袋本体内に収容することができる。
【００４２】
その結果、作業員がボルトやナット等の締結部材を誤って落下させた場合であっても、締結部材を袋本体により確実に受け止めて、締結部材が袋本体の外側に飛び出すことがない。
【００４３】
また、一対の長尺な主紐部材の先端部同士、また、一対の短尺な補助紐部材の先端部同士には、貼着手段として面ファスナーを付設していることから、操作性が向上して、工具袋を送電線に簡単に吊り下げることができる。また、工具袋の吊り下げ位置も、容易に変更できる。
【００４４】
さらに、袋本体は、底部分の略中央部分において、切り込みに連設した所定の大きさの孔を備えていることから、当該孔内にジャンパー線を配置できる。そして、袋本体の貼着手段である、例えば、面ファスナーを互いに貼り付けたとき、ジャンパー線の外周が、底部の孔により絞め付けられて、ジャンパー線の外周と孔の間に隙間が存在していない状態となり、落下してきた締結部材を、袋本体により確実に受け止めて保持することができる
【００４５】
この他、本発明に係る工具袋を使用して、ジャンパー線の取り付け・取り外し方法を実施することにより、締結部材の落下を確実に防止できると共に、送電線上における、非常に不安定な状態・危険な状態での作業員の負担を軽減し、ジャンパー線を取り付けたり、取り外す作業を効率良く実施し、全体の作業時間も大幅に削減できる。
【図面の簡単な説明】
【００４６】
【図１】切り込みを有する袋本体の開口部に、主紐部材と補助紐部材を設けている工具袋の構成を示す斜視図である。
【図２】切り込みを有する袋本体の開口部に、主紐部材と補助紐部材を設けている工具袋の構成を示す平面図である。
【図３】袋本体の底部に設けている切り込みにおいて、切り込みの両側縁部の重ね合わせ部分に付設した面ファスナーを貼り付ける状態を示す斜視図である。
【図４】袋本体の周壁に設けている切り込みにおいて、切り込みの両側縁部の重ね合わせ部分に付設した面ファスナーを貼り付ける状態を示す斜視図である。
【図５】袋本体の底部・周壁に設けている切り込みにおいて、切り込みの両側縁部の重ね合わせ部分に付設した面ファスナーを貼り付け、主紐部材の先端部同士、補助紐部材の先端部同士を接続している状態を示す斜視図である。
【図６】袋本体の底部の切り込み内にジャンパー線を導入するように、ジャンパー線に袋本体の切り込みを宛がい、主紐部材をクランプ本体に巻回して主紐部材の先端部同士を接続している状態を示す斜視図である。
【図７】袋本体の底部の切り込み内にジャンパー線を導入するように、ジャンパー線に袋本体の切り込みを宛がい、袋本体の底部・周壁に設けている切り込みにおいて、切り込みの両側縁部の重ね合わせ部分に付設した面ファスナーを貼り付け、主紐部材をクランプ本体に巻回して主紐部材の先端部同士を接続している状態を示す斜視図である。
【図８】補助紐部材をクランプ本体に巻回して補助部材の先端部同士を接続し、ジャンパー線の端部を袋本体内に収容している状態で、クランプ本体のジャンパー線用接続端子にジャンパーソケットを取り付ける状態を示す斜視図である。
【図９】補助紐部材をクランプ本体に巻回して補助部材の先端部同士を接続し、ジャンパー線の端部を袋本体内に収容している状態で、クランプ本体のジャンパー線用接続端子にジャンパーソケットを取り付けた状態を示す斜視図である。
【図１０】袋本体内に、小袋を備えている工具袋の構成を示す斜視図である。
【図１１】送電線の端部と鉄塔の間に碍子連を取り付けている鉄塔において、送電線の端部同士を、ジャンパー線により接続している状態を示す斜視図である。
【図１２】引留クランプの構成を示すもので、（ａ）はクランプ本体のジャンパー線用接続端子に、ジャンパーソケットを取り付けた状態を示す斜視図、（ｂ）はクランプ本体のジャンパー線用接続端子に、ジャンパーソケットを取り付ける状態を示す分解斜視図である。
【図１３】所定のロープによりジャンパーソケットを送電線に仮吊りして、ジャンパーソケットの落下を防止している状態を示す斜視図である。
【発明を実施するための形態】
【００４７】
以下に、図面を参照して、本発明を実施するための形態を詳細に説明する。
【００４８】
尚、鉄塔Ｔにおける送電線Ｌ、ジャンパー線Ｊを送電線Ｌに接続する引留クランプ１００、ジャンパー線Ｊの仮吊り用のロープＲ等の構成は、図１１乃至図１３に基づいて既に説明していることから、同一の構成には、同一の符号を付すことにより、その詳細な説明を省略する。
【００４９】
本発明に係る工具袋１は、図１に示すように、底部２と周壁３を有するバケツ形状の袋本体４と、袋本体４の開口部５において、対向するように基端部が固定された一対の長尺な主紐部材６から構成されている。
【００５０】
工具袋１は、図７に示すように、引留クランプ１００を介して送電線Ｌに接続するジャンパー線Ｊの端部の下方、また、図９に示すように、引留クランプ１００を介して送電線Ｌに接続されているジャンパー線Ｊの端部の下方に吊り下げられて使用される。
【００５１】
この工具袋１は、送電線Ｌにジャンパー線Ｊを取り付けたり、送電線Ｌからジャンパー線Ｊを取り外す作業を実施するときに、ボルトＢやナットＮ等の締結部材を受け止めて、当該締結部材の落下を確実に防止するものである。
【００５２】
工具袋１を構成する袋本体４は、図１・図２に示すように、底部２の略中央部分から周壁３の上縁部にかけて、略直線状の切り込み７を設けている。この切り込み７は、底部２における水平状の切り込み７ａと、周壁３における垂直状の切り込み７ｂを、略９０度の角度に連接した状態に形成されている。
【００５３】
尚、図に示す袋本体４は、略円形のバケツ状に形成されているが、これに限定されることはなく、底部２・周壁３・開口部５を有するものであれば、四角形のバケツ状等、どの様な形状であっても差し支えない。
【００５４】
また、図２に示すように、底部２における水平状の切り込み７ａの端部には、所定の大きさを有する円形状の孔８を備えている。この孔８は、底部２における略中央部分に設けられている。さらに、この孔８は、ジャンパー線Ｊの外周に略合致する径を有している。
【００５５】
加えて、図１・図２に示すように、底部２における水平状の切り込み７ａに沿った両側縁部に、貼着手段としての面ファスナーを付設している。同様に、周壁３における垂直状の切り込み７ｂに沿った両側縁部にも、貼着手段としての面ファスナーを付設している。
【００５６】
底部２の面ファスナーは、水平状の切り込み７ａに沿った両側縁部の重ね合わせ部分に付設している。この底部２の面ファスナーは、図２に示すように、切り込み７ａよりも若干短いフック（ループ）状テープ９ａと、ループ（フック）状テープ９ｂにより形成されている。フック（ループ）状テープ９ａは、例えば、図３に示すように、重ね合わせ部分において、外側に位置している底部２の内側面に付設され、ループ（フック）状テープ９ｂは、重ね合わせ部分において、内側に位置しているおける底部２の外側面に付設されている。
【００５７】
周壁３の面ファスナーも、垂直状の切り込み７ｂに沿った両側縁部の重ね合わせ部分に付設している。この周壁３の面ファスナーは、図２に示すように、切り込み７ｂよりも若干短いフック（ループ）状テープ１０ａと、ループ（フック）状テープ１０ｂにより形成されている。フック（ループ）状テープ１０ａは、例えば、図４に示すように、重ね合わせ部分において、外側に位置している周壁３の内側面に付設され、ループ（フック）状テープ１０ｂは、重ね合わせ部分において、内側に位置している周壁３の外側面に付設されている。
【００５８】
尚、図に示す袋本体４の貼着手段として、面ファスナー（９ａ・９ｂ、１０ａ・１０ｂ）が用いられているが、貼着手段はこれに限定されることはない。例えば、貼着手段として、スライドファスナー等の線ファスナーを用いても良い。即ち、貼着手段は、切り込み７を介して、袋本体４の底部２と周壁３を簡単に開放したり、また、簡単に閉鎖できるものであれば、どの様なものであっても差し支えない。
【００５９】
この他、袋本体４は、図１に示すように、その開口部５において、対向するように基端部が固定された一対の短尺な補助紐部材１１を備えている。この一対の短尺な補助紐部材１１は、図２に示すように、いずれも一対の長尺な主紐部材６に隣接するように配置されている。
【００６０】
また、一対の長尺な主紐部材６の先端部同士には、貼着手段としての面ファスナーを付設している。この主紐部材６の面ファスナーは、フック（ループ）状テープ６ａと、ループ（フック）状テープ６ｂにより形成されている。
【００６１】
同様に、一対の短尺な補助紐部材１１の先端部同士にも、貼着手段として面ファスナーを付設している。この補助紐部材１１の面ファスナーも、フック（ループ）状テープ１１ａと、ループ（フック）状テープ１１ｂにより形成されている。
【００６２】
そして、袋本体４の貼着手段である面ファスナー（９ａ・９ｂ、１０ａ・１０ｂ）を互いに貼り付けたとき、袋本体４は、図５に示すように、その底部２と周壁３が閉鎖した略円形のバケツを形成することになる。このとき、底部２の中央部分においては、円形状の孔８が存在している。
【００６３】
また、一対の長尺な主紐部材６の貼着手段である面ファスナー（６ａ・６ｂ）を互いに貼り付けたとき、袋本体４を吊り下げる長尺な環状部材となる。さらに、一対の短尺な補助紐部材１１の貼着手段である面ファスナー（１１ａ・１１ｂ）を互いに貼り付けたとき、袋本体４を吊り下げる短尺な環状部材となる。
【００６４】
以下に、図１３に示すように、ロープＲとフックＦを介して送電線Ｌ側に仮吊りしているジャンパー線Ｊを、本発明に係る工具袋１を使用しながら、送電線Ｌに接続する手順を説明する。
【００６５】
まず、袋本体４は、図１・図２に示すように、底部２の略中央部分から周壁３の上縁部にかけて設けている略直線状の切り込み７（７ａ・７ｂ）の全体を離し、底部２と周壁３を、切り込み７（７ａ・７ｂ）を介して開放させておく。このとき、一対の長尺な主紐部材６の先端部同士、また、一対の短尺な補助紐部材１１の先端部同士も離しておく。
【００６６】
次に、図６に示すように、ロープＲとフックＦを介して送電線Ｌ側に仮吊りしている、ジャンパー線Ｊの端部（ジャンパーソケット１０２が存在するジャンパー線Ｊの端部）の下方に、袋本体４を吊り下げる。このとき、袋本体４は、クランプ本体１０１に巻回されている一対の長尺な主紐部材６の面ファスナー（６ａ・６ｂ）を互いに貼り付けて、長尺な環状部材となる一対の主紐部材６により吊り下げられている。
【００６７】
また、袋本体４においては、袋本体４の切り込み７内にジャンパー線Ｊを導入するように、ジャンパー線Ｊに袋本体４の切り込み７を宛がい、底部２の切り込み７ａ内にジャンパー線Ｊを配置する。そして、最終的に、ジャンパー線Ｊを底部２の孔８内に配置する。
【００６８】
次に、図７に示すように、袋本体４の貼着手段である面ファスナー（９ａ・９ｂ、１０ａ・１０ｂ）を互いに貼り付けて、袋本体４により、底部２と周壁３が閉鎖した略円形のバケツを形成させる。このとき、ジャンパー線Ｊの外周は、底部２の孔８により絞め付けられて、ジャンパー線Ｊの外周と孔８の間に隙間が存在していない状態となっている。
【００６９】
次に、図８に示すように、袋本体４を上方に持ち上げ、一対の短尺な補助紐部材１１をクランプ本体１０１に巻回し、補助紐部材１１の面ファスナー（１１ａ・１１ｂ）を互いに貼り付けて、補助紐部材１１により袋本体４をジャンパー線用接続端子１０４の近傍に吊り下げる。このとき、一対の主紐部材６は、弛んだ状態となる。
【００７０】
これと同時に、ジャンパー線Ｊも上方に持ち上げて、図８に示すように、ジャンパーソケット１０２を構成する二股状の板片１０７の内部にジャンパー線用接続端子１０４を導入するように、ジャンパー線用接続端子１０４に二股状の板片１０７を下方から宛がう。そして、二股状の板片１０７の孔１０８と、ジャンパー線用接続端子１０４の孔１０５を合致させる。
【００７１】
次に、図８に示すように、両孔１０８・１０５にボルトＢの軸部を挿入し、図９に示すように、反対側に突出した軸部の端部にナットＮを螺合させて、ジャンパー線用接続端子１０４に、ジャンパーソケット１０２を構成する二股状の板片１０７を固定する。
【００７２】
このとき、ボルトＢやナットＮ等を誤って落下させた場合であっても、落下したボルトＢやナットＮ等が、閉鎖している底部２と周壁３により略円形のバケツを形成している袋本体４により受け止められる。
【００７３】
尚、図１１に示すように、引留クランプ１００を介して送電線Ｌに接続されているジャンパー線Ｊを取り外すときは、前記した手順を逆に行うことで、袋本体４により落下したボルトＢやナットＮ等を受け止めながら、ジャンパー線Ｊを取り外すことができる。
【００７４】
また、図１０に示すように、袋本体４内に小袋１２を配置し、この小袋１２内に取り外したボルトＢやナットＮ等を入れておくと、より好ましいものとなる。
【００７５】
この他、本発明は、前記した実施の形態に限定されるものではなく、本発明の目的を達成できる範囲での改良・変形等は、本発明に全て包含されるものである。
【産業上の利用可能性】
【００７６】
本発明は、送電線にジャンパー線を取り付けたり、送電線からジャンパー線を取り外す作業を実施するときに、ボルトやナット等の締結部材を受け止めて、当該締結部材の落下を確実に防止することのできる工具袋として使用される他に、細長の線状部材を内部に保持しながら、その上方から落下してくる様々な部材を受け止める工具袋として、幅広く利用することができる。
【符号の説明】
【００７７】
Ｔ…鉄塔
Ｌ…送電線
Ｇ…碍子連
Ｊ…ジャンパー線
Ｂ…ボルト
Ｎ…ナット
１００…引留クランプ
１０１…クランプ本体
１０２…ジャンパーソケット
１０３…スリーブ
１０４…ジャンパー線用接続端子
１０５…孔
１０６…碍子接続杆
１０７…二股状の板片
１０８…孔
１…工具袋
２…底部
３…周壁
４…袋本体
５…開口部
６…主紐部材
６ａ…フック（ループ）状テープ
６ｂ…ループ（フック）状テープ
７…切り込み
７ａ…水平状の切り込み
７ｂ…垂直状の切り込み
８…孔
９ａ…フック（ループ）状テープ
９ｂ…ループ（フック）状テープ
１０ａ…フック（ループ）状テープ
１０ｂ…ループ（フック）状テープ
１１…補助紐部材
１１ａ…フック（ループ）状テープ
１１ｂ…ループ（フック）状テープ
１２…小袋
【図１】
2012060740.tif 000003
【図２】
2012060740.tif 000004
【図３】
2012060740.tif 000005
【図４】
2012060740.tif 000006
【図５】
2012060740.tif 000007
【図６】
2012060740.tif 000008
【図７】
2012060740.tif 000009
【図８】
2012060740.tif 000010
【図９】
2012060740.tif 000011
【図１０】
2012060740.tif 000012
【図１１】
2012060740.tif 000013
【図１２】
2012060740.tif 000014
【図１３】
2012060740.tif 000015